(57)【要約】【目的】  記録媒体への情報の記録時に温度変化によって光ビームに波長変化が生じても情報の記録品質を維持できるようにする。【構成】  コントローラは、Ｓ１で検出部から受け取ったＲＦ信号の２変曲点を計測し、ＲＦ信号の振幅値の最高点後の２変曲点間の傾き値を算出し、Ｓ２でその算出した傾き値が予め設定した範囲内にあるか否かを判断し、算出した傾き値が予め設定した範囲内に無いなら、Ｓ５で現在の記録パワーを変更して最適記録パワーを決定、又は現在の記録パルスを変更して最適記録パルスを決定し、Ｓ４で記録パワー設定部に最適記録パワーを設定（記録パワー設定部の設定値を変更）、又は記録パルス設定部に最適記録パルスを設定（記録パルス設定部の設定値を変更）し、この処理を終了する。【選択図】        図３
2006073091.tif 000002
【特許請求の範囲】
【請求項１】
光源から出射された光ビームを記録媒体に集光して、記録マークと記録スペースとを前記記録媒体に形成することにより情報の記録を行う情報記録装置において、
前記記録媒体に最短長の記録マークを形成中に前記記録媒体から反射した光の光量に対応する信号を検出する検出手段と、前記検出手段によって検出した信号に基づいて前記記録マークの形成を行う光ビームの記録パワーを制御する記録パワー制御手段とを設けたことを特徴とする情報記録装置。
【請求項２】
光源から出射された光ビームを記録媒体に集光して、記録マークと記録スペースとを前記記録媒体に形成することにより情報の記録を行う情報記録装置において、
前記記録媒体に最短長の記録マークを形成中に前記記録媒体から反射した光の光量に対応する信号を検出する検出手段と、前記検出手段によって検出した信号に基づいて前記記録マークの形成を行う光ビームの記録パルスを制御する記録パルス制御手段とを設けたことを特徴とする情報記録装置。
【請求項３】
前記記録パワー制御手段は、前記検出手段によって検出した信号から求めた傾き値に基づいて前記記録マークの形成を行う光ビームの記録パワーを制御する手段であることを特徴とする請求項１記載の情報記録装置。
【請求項４】
前記記録パルス制御手段は、前記検出手段によって検出した信号から求めた傾き値に基づいて前記記録マークの形成を行う光ビームの記録パルスを制御する手段であることを特徴とする請求項２記載の情報記録装置。
【請求項５】
前記記録パワー制御手段は、前記検出手段によって検出した信号から求めた傾き値が予め設定した範囲内に収まるように前記記録マークの形成を行う光ビームの記録パワーを制御する手段であることを特徴とする請求項３記載の情報記録装置。
【請求項６】
前記記録パルス制御手段は、前記検出手段によって検出した信号から求めた傾き値が予め設定した範囲内に収まるように前記記録マークの形成を行う光ビームの記録パルスを制御する手段であることを特徴とする請求項４記載の情報記録装置。
【請求項７】
前記予め設定した範囲は、前記記録媒体の種類毎に予め計測された最適値の範囲であることを特徴とする請求項５又は６記載の情報記録装置。
【請求項８】
前記予め設定した範囲は、前記記録媒体に情報を記録するときの記録速度毎に予め計測された最適値の範囲であることを特徴とする請求項５又は６記載の情報記録装置。
【請求項９】
前記最適値は、−２０．００［ｍＶ／ｎｓ］よりも大きく−３．８０［ｍＶ／ｎｓ］よりも小さい値であることを特徴とする請求項７又は８記載の情報記録装置。
【請求項１０】
前記最適値は、−１６．３０［ｍＶ／ｎｓ］よりも大きく−４．１０［ｍＶ／ｎｓ］よりも小さい値であることを特徴とする請求項７又は８記載の情報記録装置。
【請求項１１】
前記記録パワー制御手段は、前記検出手段によって検出した信号から求めた傾き値が予め設定した値未満になるように前記記録マークの形成を行う光ビームの記録パワーを制御する手段であることを特徴とする請求項３記載の情報記録装置。
【請求項１２】
前記記録パルス制御手段は、前記検出手段によって検出した信号から求めた傾き値が予め設定した値未満になるように前記記録マークの形成を行う光ビームの記録パルスを制御する手段であることを特徴とする請求項４記載の情報記録装置。
【請求項１３】
前記予め設定した値は、０［ｍＶ／ｎｓ］であることを特徴とする請求項１１又は１２記載の情報記録装置。
【発明の詳細な説明】
【技術分野】
【０００１】
この発明は、ＣＤ−Ｒディスク、ＣＤ−ＲＷディスク、ＤＶＤ−Ｒディスク、ＤＶＤ−ＲＷディスク、ＤＶＤ＋Ｒディスク、ＤＶＤ＋ＲＷディスク、ＤＶＤ−ＲＡＭディスク等の記録媒体に情報を記録するＤＶＤドライブ等の情報記録装置に関する。
【背景技術】
【０００２】
従来、レーザ光源から出射されたレーザ光の波長を検出し、その検出されたレーザ光の波長に応じてレーザ光源を駆動するレーザ駆動部の動作を制御する情報記録装置（例えば、特許文献１参照）があった。
【特許文献１】特開２００１−２９７４６５号公報
【発明の開示】
【発明が解決しようとする課題】
【０００３】
ＣＤ−Ｒディスク、ＤＶＤ−Ｒディスク及びＤＶＤ＋Ｒディスクなどの有機色素を用いた記録媒体（光情報記録媒体）は、情報の記録時にレーザ光源から出射された光ビームの波長変化に対する記録感度の変化が比較的大きいので、波長が変化するにつれて最適記録パワーが変化してしまう特性をもっている。また、レーザ光源のほうも、温度変化に対して光ビームの波長変化が比較的大きい。
【０００４】
したがって、上述した従来の情報記録装置では、記録時に温度が変化すると、同じ記録パワーで記録したのでは最適記録パワーでなくなってしまい、そのままでは記録品質が悪化してしまうという問題があった。
この発明は上記の点に鑑みてなされたものであり、記録媒体への情報の記録時に温度変化によって光ビームに波長変化が生じても情報の記録品質を維持できるようにすることを目的とする。
【課題を解決するための手段】
【０００５】
この発明は上記の目的を達成するため、次の（１）〜（１３）の各情報記録装置を提供する。
（１）光源から出射された光ビームを記録媒体に集光して、記録マークと記録スペースとを上記記録媒体に形成することにより情報の記録を行う情報記録装置において、上記記録媒体に最短長の記録マークを形成中に上記記録媒体から反射した光の光量に対応する信号を検出する検出手段と、上記検出手段によって検出した信号に基づいて上記記録マークの形成を行う光ビームの記録パワーを制御する記録パワー制御手段を設けた情報記録装置。
【０００６】
（２）光源から出射された光ビームを記録媒体に集光して、記録マークと記録スペースとを上記記録媒体に形成することにより情報の記録を行う情報記録装置において、上記記録媒体に最短長の記録マークを形成中に上記記録媒体から反射した光の光量に対応する信号を検出する検出手段と、上記検出手段によって検出した信号に基づいて上記記録マークの形成を行う光ビームの記録パルスを制御する記録パルス制御手段を設けた情報記録装置。
【０００７】
（３）上記（１）の情報記録装置において、上記記録パワー制御手段を、上記検出手段によって検出した信号から求めた傾き値に基づいて上記記録マークの形成を行う光ビームの記録パワーを制御する手段にした情報記録装置。
（４）上記（２）の情報記録装置において、上記記録パルス制御手段を、上記検出手段によって検出した信号から求めた傾き値に基づいて上記記録マークの形成を行う光ビームの記録パルスを制御する手段にした情報記録装置。
【０００８】
（５）上記（３）の情報記録装置において、上記記録パワー制御手段を、上記検出手段によって検出した信号から求めた傾き値が予め設定した範囲内に収まるように上記記録マークの形成を行う光ビームの記録パワーを制御する手段にした情報記録装置。
（６）上記（４）の情報記録装置において、上記記録パルス制御手段を、上記検出手段によって検出した信号から求めた傾き値が予め設定した範囲内に収まるように上記記録マークの形成を行う光ビームの記録パルスを制御する手段にした情報記録装置。
【０００９】
（７）上記（５）又は（６）の情報記録装置において、上記予め設定した範囲を、上記記録媒体の種類毎に予め計測された最適値の範囲にした情報記録装置。
（８）上記（５）又は（６）の情報記録装置において、上記予め設定した範囲を、上記記録媒体に情報を記録するときの記録速度毎に予め計測された最適値の範囲にした情報記録装置。
（９）上記（７）又は（８）の情報記録装置において、上記最適値を、−２０．００［ｍＶ／ｎｓ］よりも大きく−３．８０［ｍＶ／ｎｓ］よりも小さい値にした情報記録装置。
（１０）上記（７）又は（８）の情報記録装置において、上記最適値を、−１６．３０［ｍＶ／ｎｓ］よりも大きく−４．１０［ｍＶ／ｎｓ］よりも小さい値にした情報記録装置。
【００１０】
（１１）上記（３）の情報記録装置において、上記記録パワー制御手段を、上記検出手段によって検出した信号から求めた傾き値が予め設定した値未満になるように上記記録マークの形成を行う光ビームの記録パワーを制御する手段にした情報記録装置。
（１２）上記（４）の情報記録装置において、上記記録パルス制御手段を、上記検出手段によって検出した信号から求めた傾き値が予め設定した値未満になるように上記記録マークの形成を行う光ビームの記録パルスを制御する手段にした情報記録装置。
（１３）上記（１１）又は（１２）の情報記録装置において、上記予め設定した値を、０［ｍＶ／ｎｓ］にした情報記録装置。
【発明の効果】
【００１１】
この発明による情報記録装置は、記録媒体への情報の記録時に温度変化によって光ビームに波長変化が生じても情報の記録品質を維持することができる。
【発明を実施するための最良の形態】
【００１２】
以下、この発明を実施するための最良の形態を図面に基づいて具体的に説明する。
図１は、この発明の一実施形態である光ディスク装置の構成を示すブロック図である。
この光ディスク装置は、ＣＤ−Ｒディスク、ＣＤ−ＲＷディスク、ＤＶＤ−Ｒディスク、ＤＶＤ−ＲＷディスク、ＤＶＤ＋Ｒディスク、ＤＶＤ＋ＲＷディスク、ＤＶＤ−ＲＡＭディスク等の光ディスク１１に情報を記録するＣＤドライブ、ＤＶＤドライブ等の情報記録装置である。
【００１３】
回転モータ１は、情報（データ）の記録又は再生時に光情報記録媒体（記録媒体）である光ディスク１１を回転させる。
光学系部２は、レーザ光源３から出射されたレーザ光の光ビームを光ディスク１１の記録面に集光させる。光学系部２とレーザ光源３は光ピックアップと呼ばれる光ヘッド（公知なので図示を省略する）上に配置されており、光ディスク１１上の任意の位置に移動可能である。
レーザ光源３は、一般的には半導体レーザ（ＬＤ）であり、レーザ光の記録パワー（出射パワー）は記録パワー制御部４によって制御され、レーザ光の記録パルス（出射パルス）は記録パルス制御部６によって制御される。
【００１４】
記録パワー制御部４は、レーザ光源３から出射される光ビームの光量をモニタするモニタ回路と、そのモニタ回路によってモニタした光量に基づく記録パワーと記録パワー設定部５から設定された目標記録パワーＰｗとを比較する比較回路と、その比較回路によってモニタした光量に基づく記録パワーが目標記録パワー（Ｐｗ信号）と一致するようにレーザ光源３へ供給するレーザ駆動電流を制御する制御回路からなる。
記録パワー設定部５は、データ記録時に予め設定された目標記録パワーを記録パワー制御部４に設定する。すなわち、レーザ光源３から出射する光ビームの記録パワーを目標記録パワーになるように制御する。
【００１５】
記録パルス制御部６は、記録パルス設定部７から設定された目標記録パルス（Ｓｔｒ信号）になるようにレーザ光源３が出射する光ビームの記録パルスを制御する。
記録パルス設定部７は、データ記録時に予め設定された目標記録パルスを記録パルス制御部６に設定する。すなわち、レーザ光源３から出射する光ビームの記録パルスを目標記録パルスになるように制御する。
検出部８は、光ディスク１１に最短長の記録マークを形成中に光ディスク１１から反射した光の光量に対応する再生信号（ＲＦ信号）を検出する。
メモリ部９は、コントローラ１０が目標記録パワー又は目標記録パルスを変更する処理に用いる設定値を予め記憶する。
【００１６】
コントローラ１０は、ＣＰＵ、ＲＯＭ、ＲＡＭ等からなるマイクロコンピュータであり、この光ディスク装置の全体の制御を司ると共に、光ディスク１１に最短長の記録マークを形成中に検出部８によって検出されたＲＦ信号とメモリ部９に記憶された設定値とに基づいて記録パワー設定部５に設定する目標記録パワー、又は記録パルス設定部７に設定する目標記録パルスを変更する処理も行う。
すなわち、上記検出部８がこの発明に係る検出手段に相当し、上記記録パワー制御部４、上記記録パワー設定部５、上記メモリ部９、上記コントローラ１０が、この発明に係る記録パワー制御手段の機能を果たし、上記記録パルス制御部６、上記記録パルス設定部７、上記メモリ部９、上記コントローラ１０が、この発明に係る記録パルス制御手段の機能を果たす。
【００１７】
次に、この光ディスク装置における光ディスクに最短長の記録マークを形成中の処理について説明する。
まず、コントローラ１０におけるＲＦ信号の傾き値を求める処理について説明する。
上記コントローラ１０は、検出部８によって検出した光ディスク１１に最短長の記録マークを形成中に光ディスク１１から反射したレーザ光の光量に対応するＲＦ信号から傾き値を求め、その傾き値に基づいて記録パワー設定部５への最適記録パワーの設定、又は記録パルス設定部７への最適記録パルスの設定を行う。
【００１８】
図２は、図１に示す検出部８によって検出したＲＦ信号の一例を示す波形図である。
この波形は、測定器にＬｅＣｒｏｙ  ｗａｖｅｐｒｏ９５０、Ｊｉｔｔｅｒ  Ｍａｔｅｒを使用し、ＤＶＤ＋Ｒディスクに最短マーク長（３Ｔ）の記録マークを記録中のＲＦ信号を測定したときの波形図である。
このＲＦ信号は、振幅が最高点（Ｐｅａｋ）を過ぎた後、２点の変曲点を持った波形になる。同図には、２点の変曲点から直線近似を行った例を示している。
その２点の変曲点を変曲点Ａ，Ｂとすると、その変曲点Ａ，Ｂ間の傾き値Ｋは、次の数１に基づく演算処理で求めることができる。この処理はコントローラ１０で行う。Ｖｍ１は変曲点Ａの振幅値（Ｖｍ）であり、Ｖｍ２は変曲点Ｂの振幅値（Ｖｍ）であり、Ｔは変曲点ＡとＢの間の周期（ｎｓ）である。
【００１９】
（数１）Ｋ＝（Ｖｍ２−Ｖｍ１）／Ｔ［ｍＶ／ｎｓ］
そして、記録パワーや記録パルスの立ち上り設定を変化させることにより、ＰＩエラー（ＰＩ  ＥＲＲＯＲ）とジッタ（ＪＩＴＴＥＲ）と同時に上記傾き値Ｋも変化するので、コントローラ１０は、上記傾き値に基づいて任意のタイミングにおける最適記録パワー及び最適記録パルスの設値を求めることができる。
上記ＰＩ（Ｐａｒｉｔｙ  ｏｆ  ｔｈｅ  Ｉｎｎｅｒ  ｃｏｄｅ）エラー：訂正不能データエラー）とは、ＤＶＤディスクの品質判断基準の指標である。例えば、ＤＶＤ規格においては２８０以下であることが必要である。
【００２０】
次に、上記コントローラ１０におけるＲＦ信号の傾き値の算出から記録パワー又は記録パルスの設定までの処理について説明する。
図３は、この光ディスク装置のコントローラの処理を示すフローチャート図である。
この処理は、ステップ（図中「Ｓ」で示す）１で検出部から受け取ったＲＦ信号の２変曲点を計測し、ＲＦ信号の振幅値の最高点後の２変曲点間の傾き値を算出し、ステップ２でその算出した傾き値が予め設定した範囲内にあるか否かを判断する。
ステップ２の判断で算出した傾き値が予め設定した範囲内にあるなら、ステップ３で現在の記録パワーを最適記録パワーに決定、又は現在の記録パルスを最適記録パルスに決定し、ステップ４で記録パワー設定部に最適記録パワーを設定（記録パワー設定部の設定値を継続）、又は記録パルス設定部に最適記録パルスを設定（記録パルス設定部の設定値を継続）し、この処理を終了する。
【００２１】
一方、ステップ２の判断で算出した傾き値が予め設定した範囲内に無いなら、ステップ５で現在の記録パワーを変更して最適記録パワーを決定、又は現在の記録パルスを変更して最適記録パルスを決定し、ステップ４で記録パワー設定部に最適記録パワーを設定（記録パワー設定部の設定値を変更）、又は記録パルス設定部に最適記録パルスを設定（記録パルス設定部の設定値を変更）し、この処理を終了する。
【００２２】
次に、上記処理では、上記傾き値が所定範囲内に収まるように記録パワー又は記録パルスを設定する場合について説明したが、上記傾き値が所定値未満になるように記録パワー又は記録パルスを設定するようにしてもよい。
【００２３】
図４はこの光ディスク装置のコントローラの他の処理を示すフローチャート図である。
この処理は、ステップ（図中「Ｓ」で示す）１１で検出部から受け取ったＲＦ信号の２変曲点を計測し、ＲＦ信号の振幅値の最高点後の２変曲点間の傾き値を算出し、ステップ１２でその算出した傾き値が予め設定した値である“０”未満か否かを判断する。
ステップ１２の判断で算出した傾き値が０未満なら、ステップ１３で現在の記録パワーを最適記録パワーに決定、又は現在の記録パルスを最適記録パルスに決定し、ステップ１４で記録パワー設定部に最適記録パワーを設定（記録パワー設定部の設定値を継続）、又は記録パルス設定部に最適記録パルスを設定（記録パルス設定部の設定値を継続）し、この処理を終了する。
【００２４】
一方、ステップ１２の判断で算出した傾き値が０未満でない（０以上）なら、ステップ１５で現在の記録パワーを変更して最適記録パワーを決定、又は現在の記録パルスを変更して最適記録パルスを決定し、ステップ１４で記録パワー設定部に最適記録パワーを設定（記録パワー設定部の設定値を変更）、又は記録パルス設定部に最適記録パルスを設定（記録パルス設定部の設定値を変更）し、この処理を終了する。
【００２５】
次に、上記記録パルスの設定について説明する。
図５は、記録パルスの設定例を示す波形図である。
コントローラ１０による記録パルスの設定は、同図の（ａ）に示すようなシングルパルスの場合、同図の（ｂ）又は（ｃ）に示すように、パルス形状を変化させることである。
また、同図の（ｄ）に示すようなマルチパルスの場合、同図の（ｅ）に示すように、パルス幅を変化させるようにしてもよい。
【００２６】
上述の処理後、記録パワー設定部５はコントローラ１０によって設定された最適記録パワーを記録パワー制御部４に設定し、記録パワー制御部４はレーザ光源３から出射する光ビームの記録パワーを最適記録パワーになるように制御する。または、記録パルス設定部７はコントローラ１０によって設定された最適記録パルスを記録パルス制御部６に設定し、記録パルス制御部６はレーザ光源３から出射する光ビームの記録パルスを最適記録パルスになるように制御する。
【００２７】
このようにして、コントローラ１０等により、光ディスク１１に最短長の記録マークの形成中、上記傾き値が予め設定した範囲内に収まるように記録パワー又は記録パルスを制御することにより、光ディスク１１への記録中に温度変化が生じても、常に最適記録パワー又は最適記録パルスで情報を記録することができ、光ディスク１１への記録品質を良好に保つことができる。
【００２８】
また、コントローラ１０等により、光ディスク１１に最短長の記録マークの形成中、上記傾き値が０未満になるように記録パワー又は記録パルスを制御するようにすれば、光ディスク１１への記録時に記録パワーのかけ過ぎや記録パルスのずれ等による記録マークの破壊を防止することができる。
【００２９】
上述のように、最短長の記録マークの形成中に記録パワー又は記録パルスの制御を行うことにより、光ディスクへの情報の記録では最短長の記録マークの発生する頻度が高いので、最適条件で記録することのメリットが大きい。また、最短長の記録マークのパルス幅は短く、隣接する記録マークの記録時の熱干渉による影響が大きいので、そのような記録品質の低下の虞が大きい記録のときに記録条件を最適な状態にするというメリットもある。
【００３０】
次に、上記予め設定した範囲について説明する。
ＤＶＤ＋Ｒディスクの記録をＰＩエラーが良好になる付近の記録パワーから前後に記録パワーを振って、記録時の最短長の記録マーク（３Ｔ）でのＲＦ信号の波形及び記録後のＰＩエラーを測定し、同様にジッタが良好になる付近の記録パワーから前後に記録パワーを振って記録時の最短長の記録マークでのＲＦ信号の波形及び記録後のジッタを測定したときの値で説明する。
【００３１】
図６は、上記測定による記録パワー毎のＰＩエラーとジッタと傾き値との一覧を示す図である。
図７は、図６の測定結果に基づくＰＩエラーと傾き値の変化を示すグラフの図である。
図８は、図６の測定結果に基づくジッタと傾き値の変化を示すグラフの図である。
【００３２】
図６に示す測定結果より、ＰＩエラーが２５以下になるＲＦ信号の２変曲点の傾き値Ｋは、図７に示すように、−１６．３０［ｍＶ／ｎｓ］＜Ｋ＜−４．１０［ｍＶ／ｎｓ］になり、図８に示すように、３Ｔの記録マークのジッタが１０［ｎｓ］以下になる傾き値Ｋは、−１６．３０［ｍＶ／ｎｓ］＜Ｋ＜−４．１０［ｍＶ／ｎｓ］である。
したがって、コントローラ１０は、上記傾き値Ｋが−１６．３０［ｍＶ／ｎｓ］＜Ｋ＜−４．１０［ｍＶ／ｎｓ］に収まるような記録パワー又は記録パルスを設定する。
また、傾き値Ｋが０以上（＋方向）になるとＰＩエラーとジッタの両方とも悪化し、記録パワーのかけ過ぎや、記録パルスのずれ等でマークが壊れる虞があるので、コントローラ１０は、上記傾き値ＫがＫ＜０［ｍＶ／ｎｓ］（０未満）を維持するように記録パワー又は記録パルスを設定する。
【００３３】
また、ＤＶＤ＋Ｒディスクの記録をＰＩエラーが良好になる付近の記録パルス設定から３Ｔの記録マークの記録パルス立ち上り位置を前後に０．０５Ｔステップ（ｓｔｅｐ）で振って記録時の最短長の記録マーク（３Ｔ）でのＲＦ信号の波形及び記録後のＰＩエラーを測定し、同様にジッタが良好になる付近の記録パルス設定から前後に記録パルスを振って記録時の最短長の記録マークでのＲＦ信号の波形及び記録後のジッタを測定したときの値について説明する。
【００３４】
図９は、上記測定による記録パワー毎のＰＩエラーとジッタと傾き値との一覧を示す図である。
図１０は、図９の測定結果に基づくＰＩエラーと傾き値の変化を示すグラフの図である。
図１１は、図９の測定結果に基づくジッタと傾き値の変化を示すグラフの図である。
【００３５】
図９に示す測定結果より、ＰＩエラーが２５以下になるＲＦ信号の２変曲点の傾き値Ｋは、図１０に示すように、−２０．００［ｍＶ／ｎｓ］＜Ｋ＜−３．８０［ｍＶ／ｎｓ］になり、図１１に示すように、３Ｔの記録マークのジッタが１０［ｎｓ］以下になる傾き値Ｋは、−１５．５０［ｍＶ／ｎｓ］＜Ｋ＜−６．９８［ｍＶ／ｎｓ］である。
したがって、コントローラ１０は、上記傾き値Ｋが−２０．００［ｍＶ／ｎｓ］＜Ｋ＜−３．８０［ｍＶ／ｎｓ］に収まるような記録パワー又は記録パルスを設定する。
また、傾き値Ｋが０以上（＋方向）になるとＰＩエラーとジッタの両方とも悪化し、記録パワーのかけ過ぎや、記録パルスのずれ等でマークが壊れる怖れがあるので、コントローラ１０は、上記傾き値ＫがＫ＜０［ｍＶ／ｎｓ］（０未満）を維持するように記録パワー又は記録パルスを設定する。
このようにして、光ディスクに対する記録時のＰＩエラー又はジッタを向上させて記録品質を良好に保つことができる。
【００３６】
また、上記ＰＩエラーとジッタが良好になる範囲又は値（上述の測定値の場合は、−１６．３０［ｍＶ／ｎｓ］＜Ｋ＜−４．１０［ｍＶ／ｎｓ］、−２０．００［ｍＶ／ｎｓ］＜Ｋ＜−３．８０［ｍＶ／ｎｓ］、Ｋ＜０［ｍＶ／ｎｓ］）は、光ディスク毎及び記録時の記録スピードで変わるから、ライトストラテジと同様に、光ディスク毎及び記録スピード毎での最良の傾き値又は値を予め計測し、メモリ部９に記憶しておけば、コントローラ１０がその傾き値又は値を参照して記録パワー又は記録パルスを制御することによって、種々の光ディスク又は種々の記録スピードについて、常に安定した記録品質を保つことができる。
【００３７】
次に、図３に示した処理において予め設定した範囲が−１６．３０［ｍＶ／ｎｓ］＜Ｋ＜−４．１０［ｍＶ／ｎｓ］の場合の処理について説明する。
この処理は、検出部から受け取ったＲＦ信号の２変曲点を計測し、ＲＦ信号の振幅値の最高点後の２変曲点間の傾き値Ｋを算出し、その算出した傾き値Ｋがメモリ部に記憶されている−１６．３０［ｍＶ／ｎｓ］＜Ｋ＜−４．１０［ｍＶ／ｎｓ］であるか否かを判断する（例えば、ＰＩエラーについては、現在の傾きが−２．００なら含まれず、−１０．００なら含まれる。また、ジッタについては、現在の傾きが−１．００なら含まれず、−１５．００なら含まれる。）。
【００３８】
その判断で算出した傾き値Ｋが−１６．３０［ｍＶ／ｎｓ］＜Ｋ＜−４．１０［ｍＶ／ｎｓ］であるなら、現在の記録パワーを最適記録パワーに決定、又は現在の記録パルスを最適記録パルスに決定し、記録パワー設定部に対して現在の記録パワーを最適記録パワーとして継続させ、又は記録パルス設定部に対して現在の記録パルスを最適記録パルスとして継続させ、この処理を終了する。
【００３９】
一方、上記判断で算出した傾き値Ｋが−１６．３０［ｍＶ／ｎｓ］＜Ｋ＜−４．１０［ｍＶ／ｎｓ］ではなければ、現在の記録パワーを変更して最適記録パワーを決定、又は現在の記録パルスを変更して最適記録パルスを決定し、記録パワー設定部に設定された現在の記録パワーを上記最適記録パワーに変更、又は記録パルス設定部に設定された現在の記録パルスを上記最適記録パルスに変更し、この処理を終了する。
【００４０】
次に、図３に示した処理において予め設定した範囲がＰＩエラーについては−２０．００［ｍＶ／ｎｓ］＜Ｋ＜−３．８０［ｍＶ／ｎｓ］、ジッタについては−１５．５０［ｍＶ／ｎｓ］＜Ｋ＜−６．９８［ｍＶ／ｎｓ］の場合の処理について説明する。
この処理は、検出部から受け取ったＲＦ信号の２変曲点を計測し、ＲＦ信号の振幅値の最高点後の２変曲点間の傾き値Ｋを算出し、その算出した傾き値Ｋがメモリ部に記憶されているＰＩエラーについての−２０．００［ｍＶ／ｎｓ］＜Ｋ＜−３．８０［ｍＶ／ｎｓ］であるか否かを判断する（例えば、現在の傾きが−２．００なら含まれず、−１０．００なら含まれる。）。
【００４１】
また、その算出した傾き値Ｋがメモリ部に記憶されているジッタについての−１５．５０［ｍＶ／ｎｓ］＜Ｋ＜−６．９８［ｍＶ／ｎｓ］であるか否かを判断する（例えば、現在の傾きが−１．００なら含まれず、−１５．００なら含まれる。）。
その判断で算出した傾き値Ｋが、ＰＩエラーについて−２０．００［ｍＶ／ｎｓ］＜Ｋ＜−３．８０［ｍＶ／ｎｓ］であり、ジッタについて−１５．５０［ｍＶ／ｎｓ］＜Ｋ＜−６．９８［ｍＶ／ｎｓ］であるなら、現在の記録パワーを最適記録パワーに決定、又は現在の記録パルスを最適記録パルスに決定し、記録パワー設定部に対して現在の記録パワーを最適記録パワーとして継続させ、又は記録パルス設定部に対して現在の記録パルスを最適記録パルスとして継続させ、この処理を終了する。
【００４２】
一方、上記判断で算出した傾き値ＫがＰＩエラーについて−２０．００［ｍＶ／ｎｓ］＜Ｋ＜−３．８０［ｍＶ／ｎｓ］ではない、又はジッタについて−１５．５０［ｍＶ／ｎｓ］＜Ｋ＜−６．９８［ｍＶ／ｎｓ］ではないなら、現在の記録パワーを変更して最適記録パワーを決定、又は現在の記録パルスを変更して最適記録パルスを決定し、記録パワー設定部に設定された現在の記録パワーを上記最適記録パワーに変更、又は記録パルス設定部に設定された現在の記録パルスを上記最適記録パルスに変更し、この処理を終了する。
【産業上の利用可能性】
【００４３】
この発明による情報記録装置は、デスクトップパソコン，ノートブックパソコン等のパーソナルコンピュータにおいても適用することができる。
【図面の簡単な説明】
【００４４】
【図１】この発明の一実施形態である光ディスク装置の構成を示すブロック図である。
【図２】図１に示す検出部８によって検出したＲＦ信号の一例を示す波形図である。
【図３】図１に示す光ディスク装置のコントローラの処理を示すフローチャート図である。
【図４】図１に示す光ディスク装置のコントローラの他の処理を示すフローチャート図である。
【図５】記録パルスの設定例を示す波形図である。
【図６】記録パワー毎のＰＩエラーとジッタとの測定結果とその測定結果に基づいて算出した傾き値との一覧を示す図である。
【００４５】
【図７】図６に示す測定結果に基づくＰＩエラーと傾き値の変化を示すグラフの図である。
【図８】図６に示す測定結果に基づくジッタと傾き値の変化を示すグラフの図である。
【図９】記録パワー毎のＰＩエラーとジッタとの他の測定結果とその測定結果に基づいて算出した傾き値との一覧を示す図である。
【図１０】図９に示す測定結果に基づくＰＩエラーと傾き値の変化を示すグラフの図である。
【図１１】図９に示す測定結果に基づくジッタと傾き値の変化を示すグラフの図である。
【符号の説明】
【００４６】
１：回転モータ    ２：光学系部    ３：レーザ光源    ４：記録パワー制御部    ５：記録パワー設定部    ６：記録パルス制御部    ７：記録パルス設定部    ８：検出部    ９：メモリ部    １０：コントローラ    １１：光ディスク
【図１】
2006073091.tif 000003
【図２】
2006073091.tif 000004
【図３】
2006073091.tif 000005
【図４】
2006073091.tif 000006
【図５】
2006073091.tif 000007
【図６】
2006073091.tif 000008
【図７】
2006073091.tif 000009
【図８】
2006073091.tif 000010
【図９】
2006073091.tif 000011
【図１０】
2006073091.tif 000012
【図１１】
2006073091.tif 000013